(57)【特許請求の範囲】
【請求項１】
（ａ）第１の本体部、及び開閉自在に配設された第１の蓋部材を備えた下ユニットと、
（ｂ）第２の本体部、及び開閉自在に配設された第２の蓋部材を備え、前記下ユニットの上方に配設された上ユニットと、
（ｃ）前記第１の蓋部材を開放したときに、第２の蓋部材を閉鎖した状態に保持し、前記第２の蓋部材を開放したときに、第１の蓋部材を閉鎖した状態に保持する開閉規制機構とを有するとともに、
（ｄ）該開閉規制機構は、同じ回転支点上で回動自在に配設された第１、第２の開閉規制部材を備え、
（ｅ）前記第１の開閉規制部材は、前記第１の本体部に形成された第１の係合部材と係脱させられる第１の係合要素、及び前記第２の蓋部材に形成された第２の係合部材と係脱させられる第１の動作部を備え、
（ｆ）前記第２の開閉規制部材は、前記第２の係合部材と係脱させられる第２の係合要素、及び前記第１の係合部材と係脱させられる第２の動作部を備え、
（ｇ）前記第１、第２の蓋部材が閉鎖させられると、前記第１の動作部と前記第２の係合部材とが係合させられ、前記第２の動作部と前記第１の係合部材とが係合させられ、前記第１の係合要素と前記第１の係合部材との係合が解除され、前記第２の係合要素と前記第２の係合部材との係合が解除され、
（ｈ）前記第２の蓋部材が閉鎖させられた状態で前記第１の蓋部材が開放されると、前記第１の動作部と前記第２の係合部材とが係合させられ、前記第２の動作部と前記第１の係合部材との係合が解除され、前記第１の係合要素と前記第１の係合部材との係合が解除され、前記第２の係合要素と前記第２の係合部材とが係合させられ、
（ｉ）前記第１の蓋部材が閉鎖させられた状態で前記第２の蓋部材が開放されると、前記第１の動作部と前記第２の係合部材との係合が解除され、前記第２の動作部と前記第１の係合部材とが係合させられ、前記第１の係合要素と第１の係合部材とが係合させられ、前記第２の係合要素と前記第２の係合部材との係合が解除されることを特徴とする画像処理装置。
【請求項２】
前記第１、第２の開閉規制部材は第２の本体部に対して揺動自在に配設される請求項１に記載の画像処理装置。
【請求項３】
（ａ）前記第１の係合部材は、前記第１の係合要素と係脱させられる第１の被係合要素を備え、
（ｂ）前記第２の係合部材は、前記第２の係合要素と係脱させられる第２の被係合要素を備える請求項１又は２に記載の画像処理装置。
【請求項４】
（ａ）前記第１の係合部材は、前記第２の動作部と係脱させられる当接部を備え、
（ｂ）前記第２の係合部材は、前記第１の動作部と係脱させられる当接部を備える請求項１〜３のいずれか１項に記載の画像処理装置。
【請求項５】
（ａ）第１の本体部、及び開閉自在に配設された第１の蓋部材を備えた下ユニットと、
（ｂ）第２の本体部、及び開閉自在に配設された第２の蓋部材を備え、前記下ユニットの上方に配設された上ユニットと、
（ｃ）前記第１の蓋部材を開放したときに、第２の蓋部材を閉鎖した状態に保持し、前記第２の蓋部材を開放したときに、第１の蓋部材を閉鎖した状態に保持する開閉規制機構とを有するとともに、
（ｄ）該開閉規制機構は、第１の開閉規制部材及び複数の第２の開閉規制部材を備え、
（ｅ）該各第２の開閉規制部材に形成された係合要素は、前記第２の蓋部材と第２の本体部との成す角度に応じて、前記第２の蓋部材に形成された被係合要素と段階的に係合させられることを特徴とする画像処理装置。
【請求項６】
（ａ）前記下ユニットは、媒体に対して画像を形成する画像形成装置であり、
（ｂ）前記上ユニットは、媒体の画像を読み取る画像読取装置である請求項１〜５のいずれかに記載の画像処理装置である複合装置。
【発明の詳細な説明】
【技術分野】
【０００１】
本発明は、画像処理装置及び複合装置に関するものである。
【背景技術】
【０００２】
従来、画像処理装置、例えば、下ユニットとしてのプリンタの上方に、スキャナが配設された複合装置においては、プリンタの上部トップカバーにスキャナが取り付けられるようになっている。そして、前記プリンタにおいて、電子写真方式による画像の形成が行われ、スキャナによって原稿の画像の読取りが行われる。前記プリンタのメンテナンスを行う場合、プリンタの上部トップカバーがスキャナと共に開放され、該スキャナにおいて原稿を交換したり、スキャナのメンテナンスを行ったりする場合、スキャナカバーが所定の角度持ち上げられ、開放されるようになっている。
【発明の開示】
【発明が解決しようとする課題】
【０００３】
しかしながら、前記従来の複合装置においては、スキャナカバーが開放された状態のままで前記上部トップカバーを開放すると、スキャナカバーが大きく揺動することになり、プリンタのメンテナンスの作業性が低くなってしまう。
【０００４】
本発明は、前記従来の複合装置の問題点を解決して、下ユニットのメンテナンスの作業性を向上させることができる画像処理装置及び複合装置を提供することを目的とする。
【課題を解決するための手段】
【０００５】
そのために、本発明の画像処理装置においては、第１の本体部、及び開閉自在に配設された第１の蓋部材を備えた下ユニットと、第２の本体部、及び開閉自在に配設された第２の蓋部材を備え、前記下ユニットの上方に配設された上ユニットと、前記第１の蓋部材を開放したときに、第２の蓋部材を閉鎖した状態に保持し、前記第２の蓋部材を開放したときに、第１の蓋部材を閉鎖した状態に保持する開閉規制機構とを有する。
そして、該開閉規制機構は、同じ回転支点上で回動自在に配設された第１、第２の開閉規制部材を備える。
また、前記第１の開閉規制部材は、前記第１の本体部に形成された第１の係合部材と係脱させられる第１の係合要素、及び前記第２の蓋部材に形成された第２の係合部材と係脱させられる第１の動作部を備える。
そして、前記第２の開閉規制部材は、前記第２の係合部材と係脱させられる第２の係合要素、及び前記第１の係合部材と係脱させられる第２の動作部を備える。
また、前記第１、第２の蓋部材が閉鎖させられると、前記第１の動作部と前記第２の係合部材とが係合させられ、前記第２の動作部と前記第１の係合部材とが係合させられ、前記第１の係合要素と前記第１の係合部材との係合が解除され、前記第２の係合要素と前記第２の係合部材との係合が解除される。
そして、前記第２の蓋部材が閉鎖させられた状態で前記第１の蓋部材が開放されると、前記第１の動作部と前記第２の係合部材とが係合させられ、前記第２の動作部と前記第１の係合部材との係合が解除され、前記第１の係合要素と前記第１の係合部材との係合が解除され、前記第２の係合要素と前記第２の係合部材とが係合させられる。
また、前記第１の蓋部材が閉鎖させられた状態で前記第２の蓋部材が開放されると、前記第１の動作部と前記第２の係合部材との係合が解除され、前記第２の動作部と前記第１の係合部材とが係合させられ、前記第１の係合要素と第１の係合部材とが係合させられ、前記第２の係合要素と前記第２の係合部材との係合が解除される。
【発明の効果】
【０００６】
本発明によれば、画像処理装置においては、第１の本体部、及び開閉自在に配設された第１の蓋部材を備えた下ユニットと、第２の本体部、及び開閉自在に配設された第２の蓋部材を備え、前記下ユニットの上方に配設された上ユニットと、前記第１の蓋部材を開放したときに、第２の蓋部材を閉鎖した状態に保持し、前記第２の蓋部材を開放したときに、第１の蓋部材を閉鎖した状態に保持する開閉規制機構とを有する。
そして、該開閉規制機構は、同じ回転支点上で回動自在に配設された第１、第２の開閉規制部材を備える。
また、前記第１の開閉規制部材は、前記第１の本体部に形成された第１の係合部材と係脱させられる第１の係合要素、及び前記第２の蓋部材に形成された第２の係合部材と係脱させられる第１の動作部を備える。
そして、前記第２の開閉規制部材は、前記第２の係合部材と係脱させられる第２の係合要素、及び前記第１の係合部材と係脱させられる第２の動作部を備える。
また、前記第１、第２の蓋部材が閉鎖させられると、前記第１の動作部と前記第２の係合部材とが係合させられ、前記第２の動作部と前記第１の係合部材とが係合させられ、前記第１の係合要素と前記第１の係合部材との係合が解除され、前記第２の係合要素と前記第２の係合部材との係合が解除される。
そして、前記第２の蓋部材が閉鎖させられた状態で前記第１の蓋部材が開放されると、前記第１の動作部と前記第２の係合部材とが係合させられ、前記第２の動作部と前記第１の係合部材との係合が解除され、前記第１の係合要素と前記第１の係合部材との係合が解除され、前記第２の係合要素と前記第２の係合部材とが係合させられる。
また、前記第１の蓋部材が閉鎖させられた状態で前記第２の蓋部材が開放されると、前記第１の動作部と前記第２の係合部材との係合が解除され、前記第２の動作部と前記第１の係合部材とが係合させられ、前記第１の係合要素と第１の係合部材とが係合させられ、前記第２の係合要素と前記第２の係合部材との係合が解除される。
【０００７】
この場合、前記第１の蓋部材を開放したときに、第２の蓋部材を閉鎖した状態に保持し、前記第２の蓋部材を開放したときに、第１の蓋部材を閉鎖した状態に保持することができるので、下ユニットのメンテナンスの作業性を向上させることができる。
【発明を実施するための最良の形態】
【０００８】
以下、本発明の実施の形態について図面を参照しながら詳細に説明する。この場合、画像処理装置としての複合装置について説明する。
【０００９】
図２は本発明の第１の実施の形態における複合装置の概略図、図３は本発明の第１の実施の形態におけるスキャナカバーの開閉状態を示す斜視図である。
【００１０】
図において、１０は印刷を行うための下ユニットとしての、かつ、画像形成装置としてのプリンタ、３０は該プリンタ１０の上方に配設され、取り付けられた上ユニットとしての、かつ、画像読取装置としてのスキャナであり、前記プリンタ１０とスキャナ３０とは電気的に接続され、プリンタ１０及びスキャナ３０によって複合装置が構成される。
【００１１】
前記プリンタ１０は、第１の本体部としてのプリンタ本体１０ａ、及び該プリンタ本体１０ａに対して支点Ａを中心にして矢印ａ方向に揺動自在に、かつ、開閉自在に配設された第１の蓋部材としての上部トップカバー２１を備え、該上部トップカバー２１にスキャナ３０が取り付けられる。現像剤収容部としてのトナーカートリッジ又は各色の画像形成用のイメージユニットを交換したり、ジャムを発生させた媒体としての用紙を除去したりして、プリンタ１０のメンテナンスを行う場合、上部トップカバー２１はスキャナ３０と共に持ち上げられ、開閉される。
【００１２】
また、前記プリンタ１０は、用紙を収容するための媒体収容部としての用紙カセット１１、該用紙カセット１１から用紙を１枚ずつプリンタ１０に給紙するための媒体供給部材としての給紙ローラ１２、前記用紙の通過を検知するセンサ１３、１６、前記用紙のスキューを矯正するスキュー矯正部材としての搬送ローラ１４、該搬送ローラ１４から搬送されてきた用紙を画像形成ユニット部１７に供給するための搬送ローラ１５、前記画像形成ユニット部１７、該画像形成ユニット部１７で形成された画像を用紙に定着させるための定着ユニット１８、用紙をプリンタ１０から外部に送り出すための排出ローラ１９、及び前記用紙カセット１１から給紙された用紙の搬送路２０を備える。
【００１３】
前記画像形成ユニット部１７は、ブラック、イエロー、マゼンタ及びシアンの各色の画像形成ユニットを備え、該各画像形成ユニットは、像担持体としての感光体ドラム１７Ｂｋ、１７Ｙ、１７Ｍ、１７Ｃ、該各感光体ドラム１７Ｂｋ、１７Ｙ、１７Ｍ、１７Ｃの表面を一様に、かつ、均一に帯電させる帯電装置としての帯電ローラ、前記各感光体ドラム１７Ｂｋ、１７Ｙ、１７Ｍ、１７Ｃの表面に形成された静電潜像に現像剤としてのトナーを付着させて現像し、現像剤像としてのトナー像を形成する現像剤担持体としての現像ローラ、前記トナーを帯電させて現像ローラに供給する現像剤供給ローラとしてのトナー供給ローラ、前記現像ローラ上に均一な現像剤層としてのトナー層を形成する規制部材としての現像ブレード、及び感光体ドラム１７Ｂｋ、１７Ｙ、１７Ｍ、１７Ｃ上に残留したトナーを回収するクリーニング装置としてのクリーニングブレードを備える。
【００１４】
前記各感光体ドラム１７Ｂｋ、１７Ｙ、１７Ｍ、１７Ｃの上方には、前記感光体ドラム１７Ｂｋ、１７Ｙ、１７Ｍ、１７Ｃと対向させて露光装置が配設され、該露光装置は、１７Ｂｋ、１７Ｙ、１７Ｍ、１７Ｃの表面を露光して静電潜像を形成する。また、前記画像形成ユニット部１７の下方には、転写ユニットｕ１が配設され、該転写ユニットｕ１は、前記各感光体ドラム１７Ｂｋ、１７Ｙ、１７Ｍ、１７Ｃと対向させて配設された転写部材としての転写ローラ、各転写ローラに沿って走行させられる転写ベルト等を備える。
【００１５】
前記給紙ローラ１２は、ワンウェイクラッチ機能（一方向だけ駆動力を伝達し、反転すると空転する機能）を内蔵する。また、前記定着ユニット１８はヒートローラ及び加圧ローラから成る。
【００１６】
前記スキャナ３０は、第２の本体部としてのスキャナ本体３１、該スキャナ本体３１に対して支点Ｂを中心にして矢印ｂ方向に揺動自在に、かつ、開閉自在に配設された第２の蓋部材としてのスキャナカバー３２、及び該スキャナカバー３２の一部分を利用して複数枚の原稿を自動的に送る自動給紙部としての自動原稿給紙装置（ＡＤＦ）３３を備える。そして、前記スキャナカバー３２は、スキャナ本体３１の上面に形成されたフラットベッド上の原稿を交換したり、スキャナ３０のメンテナンスを行ったりする際に、開閉され、閉鎖時にフラットベットを覆う。
【００１７】
ところで、スキャナカバー３２が開放された状態のままで上部トップカバー２１を開放すると、スキャナカバー３２が大きく揺動することになり、プリンタ１０のメンテナンスの作業性が低くなってしまう。
【００１８】
そこで、本実施の形態においては、スキャナカバー３２が開放された状態のままで上部トップカバー２１を開放することができないように開閉規制機構が配設されるようになっている。
【００１９】
図１は本発明の第１の実施の形態におけるスキャナカバー及び上部トップカバーを閉鎖したときの複合装置の状態を示す図、図４は本発明の第１の実施の形態におけるプリンタロックレバーの概略図、図５は本発明の第１の実施の形態におけるスキャナロックレバーの概略図、図６は本発明の第１の実施の形態における第１の係合部材の斜視図、図７は本発明の第１の実施の形態における第２の係合部材の斜視図である。
【００２０】
図において、１０はプリンタ、２１は上部トップカバー、２２はサイドフレーム、３０はスキャナ、３１はスキャナ本体、３２はスキャナカバー、１０１は上部トップカバー２１及びスキャナカバー３２の開閉を規制する開閉規制機構であり、該開閉規制機構１０１は、第１の開閉規制部材としてのプリンタロックレバー３６及び第２の開閉規制部材としてのスキャナロックレバー３８を備え、プリンタロックレバー３６は前記スキャナカバー３２を開放したときに、上部トップカバー２１を閉鎖した状態に保持し、スキャナロックレバー３８は前記上部トップカバー２１を開放したときに、スキャナカバー３２を閉鎖した状態に保持する。
【００２１】
図４に示されるように、前記プリンタロックレバー３６は、ほぼ中央部がスキャナ本体３１に対して回転支点ｓｈ１を中心にして揺動自在に配設され、回転支点ｓｈ１より上側の第１のアームｍ１、及び回転支点ｓｈ１より下側の第２のアームｍ２が鈍角を成すように「へ」字状に形成され、下端に係合要素としてのフック部分３６ａを備える。該フック部分３６ａと、プリンタ本体１０ａの上端、すなわち、スキャナ本体３１側の第１の係合部材２３に形成された被係合要素としての係合片２３ａとが係脱自在に配設される。
【００２２】
なお、第１の係合部材２３は、プリンタ本体１０ａに、一体に又は別部材として形成され、サイドフレーム２２から突出させて形成され、所定の部分に穴２３ｈを形成することによって係合片２３ａが形成される。また、本実施の形態において、第１の係合部材２３は、係合片として形成されるが、穴、溝等として形成することができる。
【００２３】
そして、前記回転支点ｓｈ１に巻装された付勢部材としてのスプリング３７が、一端をスキャナ本体３１の底部と係合させ、他端をプリンタロックレバー３６の第１のアームｍ１に配設された凸部３６ｂに係合させて配設される。前記スプリング３７は、所定の付勢力でプリンタロックレバー３６を矢印ｃ１と反対方向に付勢し、フック部分３６ａと係合片２３ａとを係合させる。
【００２４】
また、前記スキャナカバー３２の下端、すなわち、スキャナ本体３１側の部分には、第２の係合部材３４が形成され、該第２の係合部材３４に形成された当接部３４ａとプリンタロックレバー３６の所定の部分、本実施の形態においては、第１のアームｍ１の先端とが当接自在に配設される。
【００２５】
スキャナカバー３２が閉鎖されると、当接部３４ａと第１のアームｍ１の先端とが当接し、プリンタロックレバー３６を矢印ｃ１方向に回動させ、フック部分３６ａと係合片２３ａとの係合を解除する。
【００２６】
また、図５に示されるように、前記スキャナロックレバー３８は、ほぼ中央部がスキャナ本体３１に対して回転支点ｓｈ２を中心にして揺動自在に配設され、回転支点ｓｈ２より上側の第１のアームｍ３、及び回転支点ｓｈ２より下側の第２のアームｍ４が鈍角を成すように「へ」字状に形成され、上端に係合要素としてのフック部分３８ａを備える。該フック部分３８ａは、被係合要素としての係合片３５と係脱自在に配設され、該係合片３５は、前記第２の係合部材３４に、当接部３４ａと隣接させて形成される。なお、第２の係合部材３４は、スキャナカバー３２に、一体に又は別部材として形成される。また、本実施の形態において、係合片３５は、フック状に形成されるが、穴、溝等として形成することができる。
【００２７】
そして、前記回転支点ｓｈ２に巻装された付勢部材としてのスプリング３９が、一端をスキャナ本体３１の底部と係合させ、他端をスキャナロックレバー３８の第１のアームｍ３に配設された凸部３８ｂに係合させて配設される。前記スプリング３９は、所定の付勢力でスキャナロックレバー３８を矢印ｃ２と反対方向に付勢し、フック部分３８ａと係合片３５とを係合させる。
【００２８】
また、前記第１の係合部材２３には、係合片２３ａに隣接させて当接部２３ｂが形成され、当接部２３ｂとスキャナロックレバー３８の所定の部分、本実施の形態においては、第２のアームｍ４の先端とが当接自在に配設される。
【００２９】
上部トップカバー２１が閉鎖されると、第１の係合部材２３がスキャナロックレバー３８と当接し、スキャナロックレバー３８を矢印ｃ２方向に回動させ、フック部分３８ａと係合片３５との係合を解除する。
【００３０】
図１は、複合装置の待機状態を表し、図４に示されるように、プリンタロックレバー３６は、スプリング３７の付勢力に抗して、矢印ｃ１方向に回動させられ、フック部分３６ａと係合片２３ａとが解放され、図５に示されるように、スキャナロックレバー３８は、スプリング３９の付勢力に抗して、矢印ｃ２方向に回動させられ、フック部分３８ａと係合片３５とが解放され、スキャナカバー３２及び上部トップカバー２１のいずれも開放することができる状態になっている。なお、Ａ、Ｂは支点である。
【００３１】
次に、前記構成の開閉規制機構１０１の動作について説明する。
【００３２】
図８は本発明の第１の実施の形態におけるスキャナカバーを開放したときの複合装置を示す図、図９は本発明の第１の実施の形態におけるスキャナカバーを開放したときのプリンタロックレバーの状態を示す正面図、図１０は本発明の第１の実施の形態におけるスキャナカバーを開放したときのスキャナロックレバーの状態を示す正面図、図１１は本発明の第１の実施の形態におけるスキャナカバーを開放したときのプリンタロックレバーの状態を示す斜視図、図１２は本発明の第１の実施の形態におけるスキャナカバーを開放したときのスキャナロックレバーの状態を示す斜視図、図１３は本発明の第１の実施の形態における上部トップカバーを開放したときの複合装置の状態を示す図、図１４は本発明の第１の実施の形態における上部トップカバーを開放したときのプリンタロックレバーの状態を示す図、図１５は本発明の第１の実施の形態における上部トップカバーを開放したときのスキャナロックレバーの状態を示す図である。
【００３３】
フラットベット上に原稿を置き、スキャナ３０を使用して画像の読取り等を行うためにスキャナカバー３２を開放すると、当接部３４ａが第１のアームｍ１の先端から離れ、スプリング３７の付勢力によってプリンタロックレバー３６が回転支点ｓｈ１を中心にして矢印ｄ方向に回動させられ、フック部分３６ａと係合片２３ａとを係合させる。
【００３４】
その結果、図９及び１１に示されるように、プリンタ１０の上部トップカバー２１が開放されないようにロックされる。このとき、図１０及び１２に示されるように、スキャナロックレバー３８は、第２のアームｍ４の先端と第１の係合部材２３の当接部２３ｂとが当接させられたままの状態に置かれる。
【００３５】
また、フラットベット上の原稿を除去し、スキャナカバー３２を閉鎖させると、第１のアームｍ１の先端が当接部３４ａと当接し、プリンタロックレバー３６が矢印ｄ方向と逆の方向に回動させられ、図４及び５に示されるような、スキャナカバー３２及び上部トップカバー２１のいずれも開放することができる状態に戻る。
【００３６】
そして、プリンタ１０のメンテナンスを行うために、図１３に示されるように、上部トップカバー２１を開放すると、図１５に示されるように、スキャナロックレバー３８の第２のアームｍ４の先端が当接部２３ａから離れ、スプリング３９の付勢力によってスキャナロックレバー３８が矢印ｅ方向に回動させられ、フック部分３８ａと係合片３５とを係合させる。その結果、スキャナカバー３２が開放されないようにロックされる。このとき、図１４に示されるように、プリンタロックレバー３６は、第１のアームｍ１と第２の係合部材３４の当接部３４ａとが当接させられたままの状態に置かれる。
【００３７】
このように、本実施の形態においては、スキャナ３０を使用して画像の読取り等を行うためにスキャナカバー３２を開放すると、フック部分３６ａと係合片２３ａとが係合させられ、上部トップカバー２１を開放することができなくなる。したがって、プリンタ１０のメンテナンスを行う場合には、フラットベッド上から原稿を除去し、スキャナカバー３２を閉鎖し、フック部分３６ａと係合片２３ａとの係合を解除した後、上部トップカバー２１を開放することができる。
【００３８】
そして、上部トップカバー２１を開放すると、フック部分３８ａと係合片３５とが係合させられるので、スキャナカバー３２は閉鎖された状態に保持される。したがって、プリンタ１０のメンテナンスの作業性を向上させることができる。
【００３９】
特に、スキャナ本体３１が自動原稿給紙装置３３を備えていて、スキャナ本体３１の重量が大きい場合でも、プリンタ１０のメンテナンスの作業性を向上させることができる。
【００４０】
また、上部トップカバー２１及びスキャナカバー３２のうちの一方のカバーを開放する場合に、他方のカバーがロックされるので、操作者が、各カバーをロックしたり、ロックを解除したりする必要がない。したがって、開閉規制機構１０１の操作性を向上させることができる。
【００４１】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４２】
図１６は本発明の第２の実施の形態におけるスキャナカバー及び上部トップカバーを閉鎖したときの複合装置の状態を示す図、図１７は本発明の第２の実施の形態におけるスキャナカバーを開放したときのスキャナロックレバーの状態を示す斜視図、図１８は本発明の第２の実施の形態におけるプリンタロックレバーの概略図、図１９は本発明の第２の実施の形態におけるスキャナロックレバーの概略図である。
【００４３】
この場合、開閉規制機構１０２は、１個の、第１の開閉規制部材としてのプリンタロックレバー３６、及び複数、本実施の形態においては、３個の、第２の開閉規制部材としてのスキャナロックレバー３８、４０、４２を回転支点ｓｈ２上において揺動自在に配設することによって形成される。
【００４４】
図１９に示されるように、前記各スキャナロックレバー３８、４０、４２は、ほぼ中央部が第２の本体部としてのスキャナ本体３１に対して回転支点ｓｈ２を中心にして揺動自在に配設され、回転支点ｓｈ２より上側の第１のアームｍ３、及び回転支点ｓｈ２より下側の第２のアームｍ４が鈍角を成すように「へ」字状に形成され、上端に係合部材としてのフック部分３８ａ、４０ａ、４２ａを備える。該フック部分３８ａ、４０ａ、４２ａは、第２の係合部材３４に、当接部３４ａと隣接させて形成された被係合部材としての係合片４４と係脱自在に配設される。なお、係合片４４は、スキャナカバー３２に、一体に又は別部材として形成される。
【００４５】
そして、前記回転支点ｓｈ２に巻装された付勢部材としてのスプリング３９、４１、４３が、一端をスキャナ本体３１の底部と係合させ、他端をスキャナロックレバー３８、４０、４２の第１のアームｍ３に配設された凸部３８ｂ、４０ｂ、４２ｂに係合させて配設される。前記スプリング３９、４１、４３は、所定の付勢力でスキャナロックレバー３８、４０、４２を矢印ｃ２と反対方向に付勢し、フック部分３８ａ、４０ａ、４２ａと係合片４４とを係合させる。
【００４６】
なお、係合片４４は、スキャナカバー３２とフラットベッドとの角度が、０〔°〕の際にフック部分３８ａと、約５〔°〕の際にフック部分４０ａと、約１０〔°〕の際にフック部分４２ａと係合するような多段の形状を有する。
【００４７】
次に、前記構成の開閉規制機構１０２の動作について説明する。
【００４８】
この場合、複合装置の待機状態においては、スキャナカバー３２及び上部トップカバー２１が閉鎖される。このとき、図１８に示されるように、プリンタロックレバー３６は、第１のアームｍ１と第２の係合部材３４の当接部３４ａとが当接させられ、フック部分３６ａと係合片２３ａとの係合が解除される。また、図１９に示されるように、スキャナロックレバー３８は、第２のアームｍ４と第２の係合部材２３の当接部２３ｂとが当接させられ、フック部分３８ａ、４０ａ、４２ａと係合片４４との係合が解除される。
【００４９】
そして、フラットベット上に原稿を置き、スキャナ３０を使用して画像の読取り等を行うためにスキャナカバー３２を開放すると、当接部３４ａが第１のアームｍ１の先端から離れ、スプリング３７の付勢力によってプリンタロックレバー３６が回転支点ｓｈ１を中心にして矢印ｃ１方向と逆の方向に回動させられ、フック部分３６ａと係合片２３ａとを係合させる。
【００５０】
その結果、プリンタ１０の上部トップカバー２１が開放されないようにロックされる。このとき、図１９に示されるように、スキャナロックレバー３８、４０、４２は、第２のアームｍ４と第２の係合部材２３の当接部２３ｂと当接させられたままの状態に置かれる。
【００５１】
次に、やや薄めの厚さを有する原稿をフラットベット上に載置した場合の開閉規制機構１０２の動作について説明する。
【００５２】
図２０は本発明の第２の実施の形態におけるスキャナカバーを所定量開放したときの複合装置を示す図、図２１は本発明の第２の実施の形態におけるスキャナカバーを所定量開放したときのプリンタロックレバーの状態を示す図、図２２は本発明の第２の実施の形態におけるスキャナカバーを所定量開放したときのスキャナロックレバーの状態を示す図である。
【００５３】
この場合、図２０に示されるように、原稿４５は、やや薄め、例えば、７〔ｍｍ〕程度の厚さを有しているので、スキャナカバー３２とフラットベッドとの角度が約５〔°〕程度開いた状態になり、プリンタロックレバー３６は、図２１の実線で示されるように、フック部分３６ａと係合片２３ａとの係合が解除された状態に置かれる。また、スキャナロックレバー３８、４０、４２も、図２２の実線で示されるように、フック部分３８ａ、４０ａ、４２ａと係合片４４との係合が解除された状態に置かれる。
【００５４】
次に、原稿４５をフラットベット上に載置した状態において、プリンタ１０の上部トップカバー２１を開放した場合について説明する。
【００５５】
図２３は本発明の第２の実施の形態におけるスキャナカバーを所定量開放し、上部トップカバーを開放したときの複合装置の第１の状態を示す図、図２４は本発明の第２の実施の形態におけるスキャナカバーを所定量開放し、上部トップカバーを開放したときのスキャナロックレバーの第１の状態を示す図、図２５は本発明の第２の実施の形態におけるスキャナカバーを所定量開放し、上部トップカバーを開放したときのプリンタロックレバーの第１の状態を示す図である。
【００５６】
この場合、原稿４５をフラットベット上に載置すると、スキャナカバー３２とフラットベッドとの角度が約５〔°〕になり、この状態において、図２３に示されるように、上部トップカバー２１を完全に開放すると、スキャナロックレバー３８、４０、４２の第２のアームｍ４が当接部２３ｂから離れ、図２４に示されるように、そのうちのスキャナロックレバー４０のフック部分４０ａと係合片４４とが係合させられ、スキャナカバー３２をロックする。したがって、スキャナカバー３２は閉鎖された状態に保持され、原稿４５が落下するのを防止することができる。なお、この場合、他のスキャナロックレバー３８、４２のフック部分３８ａ、４２ａと係合片４４とは係合しない。また、図２５に示されるように、プリンタロックレバー３６の第１のアームｍ１が当接部３４ａに当接させられ、フック部分３６ａと係合片２３ａとの係合が解除されたままの状態に置かれる。
【００５７】
次に、比較的厚めの厚さを有する原稿をフラットベット上に載置した場合の開閉規制機構１０２の動作について説明する。
【００５８】
図２６は本発明の第２の実施の形態におけるスキャナカバーを所定量開放したときの複合装置の第２の状態を示す図、図２７は本発明の第２の実施の形態におけるスキャナカバーを所定量開放したときのプリンタロックレバーの第２の状態を示す図、図２８は本発明の第２の実施の形態におけるスキャナカバーを所定量開放したときのスキャナロックレバーの第２の状態を示す図である。
【００５９】
この場合、図２６に示されるように、原稿４６は、比較的厚め、例えば、１５〔ｍｍ〕程度の厚さを有しているので、スキャナカバー３２とフラットベッドとの角度が約１０〔°〕程度開いた状態になり、プリンタロックレバー３６は、図２７の実線で示されるように、フック部分３６ａと係合片２３ａとの係合が解除された状態に置かれる。また、スキャナロックレバー３８、４０、４２も、図２８の実線で示されるように、フック部分３８ａ、４０ａ、４２ａと係合片４４との係合が解除された状態に置かれる。
【００６０】
次に、原稿４６をフラットベット上に載置した状態において、プリンタ１０の上部トップカバー２１を開放した場合について説明する。
【００６１】
図２９は本発明の第２の実施の形態におけるスキャナカバーを所定量開放し、上部トップカバーを開放したときの複合装置の第２の状態を示す図、図３０は本発明の第２の実施の形態におけるスキャナカバーを所定量開放し、上部トップカバーを開放したときのスキャナロックレバーの第２の状態を示す図、図３１は本発明の第２の実施の形態におけるスキャナカバーを所定量開放し、上部トップカバーを開放したときのプリンタロックレバーの第２の状態を示す図である。
【００６２】
この場合、原稿４６をフラットベット上に載置すると、スキャナカバー３２とフラットベッドとの角度が約１０〔°〕になり、この状態において、図２９に示されるように、上部トップカバー２１を完全に開放すると、スキャナロックレバー３８、４０、４２の第２のアームｍ４が当接部２３ｂから離れ、図３０に示されるように、そのうちのスキャナロックレバー４２のフック部分４２ａと係合片４４とが係合させられ、スキャナカバー３２をロックする。したがって、スキャナカバー３２は閉鎖された状態に保持され、原稿４６が落下するのを防止することができる。なお、この場合、他のスキャナロックレバー３８、４０のフック部分３８ａ、４０ａと係合片４４とは係合しない。また、図３１に示されるように、プリンタロックレバー３６の第１のアームｍ１が当接部３４ａに当接させられ、フック部分３６ａと係合片２３ａとの係合が解除されたままの状態に置かれる。
【００６３】
このように、本実施の形態においては、スキャナロックレバー３８、４０、４２が回転支点ｓｈ２上において揺動自在に配設され、フック部分３８ａ、４０ａ、４２ａと係合片４４とが段階的に係合させられるので、ある程度の厚さの原稿４５、４６をフラットベット上に残したままで上部トップカバー２１を開放しても、原稿４５、４６を落下させず、保持することができる。
【００６４】
なお、本実施の形態においては、プリンタ１０の上部トップカバー２１とスキャナ本体３１とが一体で開閉する場合について説明したが、スキャナ本体３１及び上部トップカバー２１を別々に開閉する場合にも適用することができる。
【００６５】
また、本発明は複合装置について説明しているが、本発明を複合装置以外のプリンタ、例えば、複写機等に適用することができる。
【００６６】
なお、本発明は前記実施の形態に限定されるものではなく、本発明の趣旨に基づいて種々変形させることが可能であり、それらを本発明の範囲から排除するものではない。
【図面の簡単な説明】
【００６７】
【図１】本発明の第１の実施の形態におけるスキャナカバー及び上部トップカバーを閉鎖したときの複合装置の状態を示す図である。
【図２】本発明の第１の実施の形態における複合装置の概略図である。
【図３】本発明の第１の実施の形態におけるスキャナカバーの開閉状態を示す斜視図である。
【図４】本発明の第１の実施の形態におけるプリンタロックレバーの概略図である。
【図５】本発明の第１の実施の形態におけるスキャナロックレバーの概略図である。
【図６】本発明の第１の実施の形態における第１の係合部材の斜視図である。
【図７】本発明の第１の実施の形態における第２の係合部材の斜視図である。
【図８】本発明の第１の実施の形態におけるスキャナカバーを開放したときの複合装置を示す図である。
【図９】本発明の第１の実施の形態におけるスキャナカバーを開放したときのプリンタロックレバーの状態を示す正面図である。
【図１０】本発明の第１の実施の形態におけるスキャナカバーを開放したときのスキャナロックレバーの状態を示す正面図である。
【図１１】本発明の第１の実施の形態におけるスキャナカバーを開放したときのプリンタロックレバーの状態を示す斜視図である。
【図１２】本発明の第１の実施の形態におけるスキャナカバーを開放したときのスキャナロックレバーの状態を示す斜視図である。
【図１３】本発明の第１の実施の形態における上部トップカバーを開放したときの複合装置の状態を示す図である。
【図１４】本発明の第１の実施の形態における上部トップカバーを開放したときのプリンタロックレバーの状態を示す図である。
【図１５】本発明の第１の実施の形態における上部トップカバーを開放したときのスキャナロックレバーの状態を示す図である。
【図１６】本発明の第２の実施の形態におけるスキャナカバー及び上部トップカバーを閉鎖したときの複合装置の状態を示す図である。
【図１７】本発明の第２の実施の形態におけるスキャナカバーを開放したときのスキャナロックレバーの状態を示す斜視図である。
【図１８】本発明の第２の実施の形態におけるプリンタロックレバーの概略図である。
【図１９】本発明の第２の実施の形態におけるスキャナロックレバーの概略図である。
【図２０】本発明の第２の実施の形態におけるスキャナカバーを所定量開放したときの複合装置を示す図である。
【図２１】本発明の第２の実施の形態におけるスキャナカバーを所定量開放したときのプリンタロックレバーの状態を示す図である。
【図２２】本発明の第２の実施の形態におけるスキャナカバーを所定量開放したときのスキャナロックレバーの状態を示す図である。
【図２３】本発明の第２の実施の形態におけるスキャナカバーを所定量開放し、上部トップカバーを開放したときの複合装置の第１の状態を示す図である。
【図２４】本発明の第２の実施の形態におけるスキャナカバーを所定量開放し、上部トップカバーを開放したときのスキャナロックレバーの第１の状態を示す図である。
【図２５】本発明の第２の実施の形態におけるスキャナカバーを所定量開放し、上部トップカバーを開放したときのプリンタロックレバーの第１の状態を示す図である。
【図２６】本発明の第２の実施の形態におけるスキャナカバーを所定量開放したときの複合装置の第２の状態を示す図である。
【図２７】本発明の第２の実施の形態におけるスキャナカバーを所定量開放したときのプリンタロックレバーの第２の状態を示す図である。
【図２８】本発明の第２の実施の形態におけるスキャナカバーを所定量開放したときのスキャナロックレバーの第２の状態を示す図である。
【図２９】本発明の第２の実施の形態におけるスキャナカバーを所定量開放し、上部トップカバーを開放したときの複合装置の第２の状態を示す図である。
【図３０】本発明の第２の実施の形態におけるスキャナカバーを所定量開放し、上部トップカバーを開放したときのスキャナロックレバーの第２の状態を示す図である。
【図３１】本発明の第２の実施の形態におけるスキャナカバーを所定量開放し、上部トップカバーを開放したときのプリンタロックレバーの第２の状態を示す図である。
【符号の説明】
【００６８】
１０    プリンタ
１０ａ    プリンタ本体
２１    上部トップカバー
２３ａ、３５    係合片
３０    スキャナ
３１    スキャナ本体
３２    スキャナカバー
３６ａ、３８ａ    フック部分
１０１、１０２    開閉規制機構
【図１】
0004842666.tif 000002
【図２】
0004842666.tif 000003
【図３】
0004842666.tif 000004
【図４】
0004842666.tif 000005
【図５】
0004842666.tif 000006
【図６】
0004842666.tif 000007
【図７】
0004842666.tif 000008
【図８】
0004842666.tif 000009
【図９】
0004842666.tif 000010
【図１０】
0004842666.tif 000011
【図１１】
0004842666.tif 000012
【図１２】
0004842666.tif 000013
【図１３】
0004842666.tif 000014
【図１４】
0004842666.tif 000015
【図１５】
0004842666.tif 000016
【図１６】
0004842666.tif 000017
【図１７】
0004842666.tif 000018
【図１８】
0004842666.tif 000019
【図１９】
0004842666.tif 000020
【図２０】
0004842666.tif 000021
【図２１】
0004842666.tif 000022
【図２２】
0004842666.tif 000023
【図２３】
0004842666.tif 000024
【図２４】
0004842666.tif 000025
【図２５】
0004842666.tif 000026
【図２６】
0004842666.tif 000027
【図２７】
0004842666.tif 000028
【図２８】
0004842666.tif 000029
【図２９】
0004842666.tif 000030
【図３０】
0004842666.tif 000031
【図３１】
0004842666.tif 000032